(57)【要約】【課題】ヘッドホンに対して信号電流を供給するコードを巻取る構造において、とくに内部にスリップリングとブラシとを設けることなくしかもコードの巻取りを可能にする。【解決手段】外筐２１内に駆動ユニット２５と巻枠２８とを互いに結合した状態で一緒に回転するように回転可能に収納し、コード１５を上記巻枠２８によって巻取るとともに、このコード１５の先端部をスリップリングを介することなく直接駆動ユニット２５の端子に半田付けして接続する。【選択図】図５
2008017150.tif 000002
【特許請求の範囲】
【請求項１】
外筐と、
前記外筐内において回転可能に取付けられ、信号電流によって音声の出力を再生する駆動ユニットと、
前記駆動ユニットと一緒に回転するように結合された巻枠と、
前記巻枠によって巻取られるようになっており、前記駆動ユニットに信号電流を供給するコードと、
を有する電気−音響変換装置。
【請求項２】
前記外筐の前面側を覆うようにカバーを有し、該カバーと前記外筐との一方または両者の間に引出し用の開口が形成され、該開口を通して前記巻枠に巻取られるコードの先端部が引出されることを特徴とする請求項１に記載の電気−音響変換装置。
【請求項３】
前記コードを引出す開口が周方向に長いスリット状の隙間であることを特徴とする請求項２に記載の電気−音響変換装置。
【請求項４】
前記外筐に引出し孔が形成され、前記巻枠に巻取られるコードの先端部が前記引出し孔から引出されることを特徴とする請求項１に記載の電気−音響変換装置。
【請求項５】
左側の駆動ユニットと右側の駆動ユニットとを有し、前記左側の駆動ユニットと前記右側の駆動ユニットとがそれぞれ外筐内に回転可能に取付けられかつそれぞれ巻枠を備え、前記左側の駆動ユニットと前記右側の駆動ユニットの内の一方に結合された巻枠によって左右の駆動ユニット間に接続されたコードを巻取るとともに、他方に結合された巻枠によって他方の駆動ユニットと信号源ユニットとに接続されたコードを巻取ることを特徴とする請求項１に記載の電気−音響変換装置。
【請求項６】
前記巻枠を回転駆動するばねを有することを特徴とする請求項１に記載の電気−音響変換装置。
【請求項７】
ヘッドホンであることを特徴とする請求項１に記載の電気−音響変換装置。
【請求項８】
スピーカ装置であることを特徴とする請求項１に記載の電気−音響変換装置。
【請求項９】
電気−音響変換装置における信号電流を流すコードを巻取る方法において、
前記信号電流によって音声の出力を再生する駆動ユニットに結合された巻枠によって前記コードを巻取るようにしたことを特徴とするコードの巻取り方法。
【請求項１０】
前記接続コードの端部がスリップリングを介することなく駆動ユニットに接続されることを特徴とする請求項９に記載のコードの巻取り方法。
【発明の詳細な説明】
【技術分野】
【０００１】
本発明は信号電流を流すコードを巻取るようにした電気−音響変換装置、およびそのコードの巻取り方法に関する。
【背景技術】
【０００２】
携帯用の再生機によって音楽を聴く場合には、通常イヤホンあるいはヘッドホンを用いる。すなわち再生機の音声出力端子にイヤホンまたはヘッドホンのコードを接続し、再生機からの信号電流をイヤホンまたはヘッドホンの駆動ユニットに供給することによって、上記駆動ユニットで音声を再生する。従ってヘッドホンの場合には、再生機と左右の一方のヘッドホンとの間を接続するコードと、左右のヘッドホンを接続するコードとを必要とすることになる。
【０００３】
このようなコードは、音楽を再生して聴く場合には引出されるが、所定の長さを有しているために、不使用時においてはこのようなコードの取扱いが面倒である。そこで例えば実公平１−１９５１２号公報や特開昭６３−２０４５８２号公報に開示されているようなコードの巻取り装置を内蔵することが考察される。このような巻取り装置は、外筐内に巻枠を備え、この巻枠によって、不使用時にコードを巻取るものである。
【０００４】
ところが上記の実公平１−１９５１２号公報や特開昭６３−２０４５８２号公報に開示されている巻枠の構造は、固定配置された回路基板と、巻枠によって回転するコードの先端部との間の電気的な接続を達成するために、スリップリングを設けるようにし、巻枠側に設けられたブラシを上記スリップリングに接触させて可動側と固定側との間の電気的な接続を達成している。すなわちコードの端部を直接回路基板上の端子に半田付けすることができない問題がある。
【０００５】
このようにブラシとスリップリングとから成る接続構造を設けると、部品点数が増加してコストアップの原因になる。またブラシがスリップリングのパターンの部分に正しく接触しないと接触不良の不具合が発生し易く、これによって信頼性が低下する。また部品点数が増加するとともに、スリップリングによって構造が複雑になり、さらにはこのスリップリングの占める容積によって小型化が阻害される。さらにスリップリングを巻枠の端面に取付けるために、組立てが難しくなるとともに、組立て工数が増加することになる。
【特許文献１】実公平１−１９５１２号公報
【特許文献２】特開昭６３−２０４５８２号公報
【発明の開示】
【発明が解決しようとする課題】
【０００６】
本願発明の課題は、スリップリングを用いることなくしかも信号電流を供給するコードを巻取るようにした電気−音響変換装置およびそのコードの巻取り方法を提供することである。
【０００７】
本願発明の別の課題は、部品点数が増加することなく、構造が簡潔で、小型化が容易な電気−音響変換装置およびそのコードの巻取り方法を提供することである。
【０００８】
本願発明のさらに別の課題は、スリップリングを用いることによる接触不良の不具合が発生せず、信頼性が高い電気−音響変換装置およびそのコードの巻取り方法を提供することである。
【０００９】
本願発明のさらに別の課題は、スリップリングを省略することによって組立てが容易な電気−音響変換装置およびそのコードの巻取り方法を提供することである。
【００１０】
本願発明の上記の課題および別の課題は、以下に述べる本願発明の技術的思想、およびその実施の形態によって明らかにされる。
【課題を解決するための手段】
【００１１】
本願の主要な発明は、外筐と、
前記外筐内において回転可能に取付けられ、信号電流によって音声の出力を再生する駆動ユニットと、
前記駆動ユニットと一緒に回転するように結合された巻枠と、
前記巻枠によって巻取られるようになっており、前記駆動ユニットに信号電流を供給するコードと、
を有する電気−音響変換装置に関するものである。
【００１２】
ここで、前記外筐の前面側を覆うようにカバーを有し、該カバーと前記外筐との一方または両者の間に引出し用の開口が形成され、該開口を通して前記巻枠に巻取られるコードの先端部が引出されてよい。また前記コードを引出す開口が周方向に長いスリット状の隙間であってよい。また前記外筐に引出し孔が形成され、前記巻枠に巻取られるコードの先端部が前記引出し孔から引出されてよい。また左側の駆動ユニットと右側の駆動ユニットとを有し、前記左側の駆動ユニットと前記右側の駆動ユニットとがそれぞれ外筐内に回転可能に取付けられかつそれぞれ巻枠を備え、前記左側の駆動ユニットと前記右側の駆動ユニットの内の一方に結合された巻枠によって左右の駆動ユニット間に接続されたコードを巻取るとともに、他方に結合された巻枠によって他方の駆動ユニットと信号源ユニットとに接続されたコードを巻取るようにしてよい。また前記巻枠を回転駆動するばねを有してよい。またヘッドホンであってよい。またスピーカ装置であってよい。
【００１３】
巻取り方法に関する主要な発明は、電気−音響変換装置における信号電流を流すコードを巻取る方法において、
前記信号電流によって音声の出力を再生する駆動ユニットに結合された巻枠によって前記コードを巻取るようにしたことを特徴とするコードの巻取り方法に関するものである。
【００１４】
ここで、前記接続コードの端部がスリップリングを介することなく駆動ユニットに接続されるようにしてよい。
【００１５】
本願発明の好ましい態様は、信号電流を流すコードと接続される駆動ユニットをコードを巻取る巻枠と一緒に回転させる構造とすることによって、コードを駆動ユニットに半田付け等の方法によって直接接続するようにしたものである。なおここで駆動ユニットは、小型であっても大型であってもよく、さらにはコードが接続される基板を中継する場合には、この基板をもコードを巻取る巻枠と一緒に回転させることによって、上記の技術思想が実現される。
【００１６】
このような態様によると、電気−音響変換装置の部品点数が削減され、小型化および軽量化が達成できるとともに、部品点数の削減によってコストダウンが図られる。またスリップリングを備えないために組立てが容易になる。さらにスリップリングとブラシとの摺接構造が不要になるために、接続の信頼性が向上する。
【発明の効果】
【００１７】
本願の主要な発明は、外筐と、外筐内において回転可能に取付けられ、信号電流によって音声の出力を再生する駆動ユニットと、駆動ユニットと一緒に回転するように結合された巻枠と、巻枠によって巻取られるようになっており、駆動ユニットに信号電流を供給するコードと、を有するようにしたものである。
【００１８】
従ってこのような構成の電気−音響変換装置によると、不使用時に信号電流を供給するコードを巻枠によって巻取ることが可能になる。しかも駆動ユニットが巻枠と一緒に回転するようになっているために、巻枠と駆動ユニットとの間に相対回転が存在せず、これによって巻枠によって巻取られるコードの先端部を駆動ユニットに直接接続することが可能になり、このためにスリップリングを設ける必要がなくなる。
【００１９】
コードの巻取り方法に関する発明は、電気−音響変換装置における信号電流を流すコードを巻取る方法において、信号電流によって音声の出力を再生する駆動ユニットに結合された巻枠によってコードを巻取るようにしたものである。
【００２０】
従ってこのようなコードの巻取り方法によると、駆動ユニットに結合された巻枠によってコードを巻取ることが可能になり、駆動ユニットとコードとの間の相対運動が存在しないために、両者の間にスリップリングを介在させる必要がなくなり、これによって部品点数が少くなり、構造が簡潔で、しかもスリップリングの不具合による接続の信頼性の低下を回避できるようになる。
【発明を実施するための最良の形態】
【００２１】
以下本願発明を図示の実施の形態によって説明する。まず第１の実施の形態について説明すると、この第１の実施の形態は、本願発明をヘッドホンに適用したものである。図１および図２に示すように、ここでは左右一対のヘッドホン１１が組合わされて用いられる。すなわち携帯用再生ユニット１４によって得られる左右のチャンネルの音声信号が左側のヘッドホン１１と右側のヘッドホン１１とにコード１５を通して供給されるようになっている。
【００２２】
再生機１４から引出されたコード１５によって、例えば左側のヘッドホン１１に左右のチャンネルの音声信号が供給される。そして左側のチャンネルの音声信号がこの左側のヘッドホン１１の駆動ユニットに供給される。これに対して右側のチャンネルの音声信号は、左側のヘッドホン１１を経由してさらにコード１５を介して右側のヘッドホン１１に供給され、右側のヘッドホン１１の駆動ユニットを駆動するようになっている。なお左右一対のヘッドホン１１にはそれぞれ図２に示すように耳掛け１７が取付けられており、この耳掛け１７によって耳に掛けて使用するようになっている。
【００２３】
次に左右一対のヘッドホン１１の内の一方、例えば左側のヘッドホン１１を例に、その内部構造を説明すると、図３〜図５に示すように、このヘッドホン１１は偏平なほぼカップ状をなす外筐２１を備えている。外筐２１はその底部であって耳と対向する部分に多数の小孔が形成され、放音孔２２を形成している。また上記外筐２１の放音孔２２が形成されている部分の内側には当接リブ２３が形成されている（図４参照）。またこの外筐２１の内側であって円周方向外周側にはリング状ガイド２４が形成されている。そしてこのようなリング状ガイド２４によって駆動ユニット２５が回転可能に支持される。駆動ユニット２５は、内部にボイスコイルと振動板とを備え、コード１５によって供給される音声信号に応じてボイスコイルが振動板を振動させて音声を再生するものである。
【００２４】
上記駆動ユニット２５には、巻枠２８がビス２９によって取付けられるようになっている。すなわち駆動ユニット２５の耳の部分を挿通するビス２９が巻枠２８に螺着されており、これによって駆動ユニット２５と巻枠２８とが結合される。そして上記巻枠２８の中心部にボス３１が突出して形成され、その外周部にコード１５が巻取られるようになっている。そして巻枠２８の反対側の部分には押さえ円板３２が取付けられるようになっており、ビス４０によって巻枠２８のボス３１に固定されるようになっている。
【００２５】
上記押さえ円板３２にはその円周方向の所定の位置に操作用凹部３３が形成されており、この操作用凹部３３に指を挿入して巻枠２８を回転させることによって、コード１５を巻取るようにしている。そして上記押さえ円板３２を備える巻枠２８を覆うようにカバー３４が外筐２１の開口部を覆って取付けられる。カバー３４には大きな円形の開口３５が形成され、この開口３５によって操作用凹部３３による巻枠２８の巻取り動作を可能にしている。またカバー３４の内側の部分には円周方向に所定の角度で延びるスリット状引出し部３６が形成されており、このスリット状引出し部３６を通してコード１５を引出すようにしている。コード１５の先端部にはプラグ３８が取付けられるようになっている。
【００２６】
駆動ユニット２５と巻枠２８との結合体は図４に示すように外筐２１内で回転可能に支持される。すなわち駆動ユニット２５の外周側の部分が外筐２１内のリング状ガイド２４によって回転可能に支持され、しかもカバー３４の内側の部分に形成される押さえリブ３９が巻枠２８の押さえ円板３２の外側の端面であって外周側の部分を押さえるようにしている。なお外筐２１とカバー３４とは、外筐２１の外周部に突設された一対の結合用ボス４１によって結合されている。
【００２７】
従ってこのようなヘッドホンによると、巻枠２８のボス３１の外周部上にコード１５が巻取られるようになっている。このコード１５を上記スリット状引出し部３６を通して引出し、携帯用再生ユニット１４の音声出力端子に接続し、この携帯用再生ユニット１４からコード１５を通してヘッドホン１１に信号電流を流すと、信号電流はコード１５を通して駆動ユニット２５に接続される。すなわちコード１５の先端部が巻枠２８のボス３１の内部を貫通し、駆動ユニット２５の端子に半田付けされて接続されているために、駆動ユニット２５のボイスコイルに信号電流が流れ、振動板が振動して音声が再生される。この音声は放音孔２２を通して外筐２１の外部に放射される。
【００２８】
次にこのような信号電流を通ずるコード１５を巻取る動作について説明する。この動作は、カバー３４の開口３５を通して露出する押さえ円板３２の操作用凹部３３を指で回転操作すればよく、これによってスリット状引出し部３６を通して引出されたコード１５を巻枠２８のボス３１の外周部上に巻取ることができる（図４参照）。
【００２９】
このようなヘッドホン１１によると、コード１５を巻取るための巻枠２８と駆動ユニット２５との間にスリップリングおよびブラシが介在しないために、部品点数が増加することなく、コストが低減される。また構造が単純になるとともに、スリップリングやブラシを組込むスペースが不要になって小型化が容易になる。とくにヘッドホン１１の軸線方向の寸法、すなわち厚さを薄くすることが可能になる。またスリップリングを組込む必要がなくなるために、組立てが容易になる。さらにスリップリングとブラシとの摺接による摺接接触部が存在しないために、接触不良等の不具合が発生し難くなって信頼性が改善される。
【００３０】
次に上記実施の形態の変形例を図６によって説明する。この変形例は、図６に示すように、駆動ユニット２５と外筐２１との間にぜんまいばね４３を配したものである。ぜんまいばね４３は駆動ユニット２５の外周部に位置するとともに、外周側の端部が外筐２１の周壁に固着され、内周側の端部が駆動ユニット２５の外周部に固着されている。
【００３１】
従ってこのような変形例によると、巻枠２８からコード１５を引出すと、上記のように両端部が外筐２１と駆動ユニット２５とに固着されているぜんまいばね４３が弾性変形し、この巻枠２８を巻取る方向に回転させるように弾性変形することになる。従ってコード１５を自由な状態にすると、ぜんまいばね４３の弾性復元力によって巻枠２８が駆動ユニット２５とともに自動的に回転駆動されるようになり、これによって巻枠２８でコード１５を自動的に巻取ることが可能になる。なおこの場合には押さえ円板３２に操作用凹部３３を形成することは必ずしも必要ではないが、この操作用凹部３３があると手動巻取りとぜんまいばね４３による自動巻取りの併用が可能になる。
【００３２】
次に第２の実施の形態を図７および図８によって説明する。この実施の形態は、本願発明を卓上式の小型スピーカ装置に応用したものであって、椀形の外筐７６内にスピーカユニットを組込んだ構造となっている。そして内部のスピーカユニットは磁気回路５０を備えている。磁気回路５０は図８に示すように、ほぼ円板状をなすヨーク５１を備え、このヨーク５１の中心部には上方に突出する円柱状のセンターポール５２が一体に設けられている。そしてヨーク５１の上部であってセンターポール５２の外周側にはリング状をなすマグネット５３が取付けられている。マグネット５３はその軸線方向の両端が互いに異極になるように着磁されている。そしてマグネット５３の上面にリング状をなすプレート５４が取付けられている。上記プレート５４の中心部に設けられている円形の開口と上記センターポール５２の外周面との間の部分がエアギャップ５５を形成しており、このエアギャップ５５にボイスコイル５６が配されている。すなわちボイスコイル５６は円筒状のボビン５７の外周部に嵌装された状態でエアギャップ５５内に配される。
【００３３】
プレート５４上には前方側が開放されたカップ状をなす鋼製のフレーム６０が取付けられる。フレーム６０にはコーンから成る振動板６１が取付けられる。すなわち振動板６１の外周側の部分が断面が半円形状のリングから成るエッジ６２を介してフレーム６０の外周縁部の前面に取付け固定されるとともに、エッジ６２の外周部がガスケット６３によってフレーム６０に固定される。そして上記振動板６１の中心側の部分はボイスコイル５６を巻装したボビン５７の外周部に固着される。また振動板６１の図８において下側にはダンパ６４が配される。ダンパ６４はボビン５７とフレーム６０とを連結する。またフレーム６０の外周面上には入力端子板６５が設けられる。この入力端子板６５には錦糸線６６が接続されるようになっており、この錦糸線６６によってボイスコイル５６に信号電流を供給するようになっている。また振動板６１の中心部にはドーム状をなすセンターキャップ６７が取付けられる。
【００３４】
磁気回路５０のマグネット５３の外周側の部分には、リング状をなす巻枠７０が嵌着されており、このような巻枠７０によってコード７２を巻取るようにしている。コード７２の先端部は上記巻枠７０の挿通孔を挿通して上記入力端子板６５に半田付けされて接続されている。そしてコード７２の反対側の先端側の部分にプラグ７３が取付けられている。
【００３５】
次に上記スピーカを外筐７６内において回転可能に支持する構造について説明する。外筐７６はほぼ椀形の形状をなし、図８において上面側が開放されている。そして開放された縁部であってその内側の部分に円周方向に沿って複数の受けローラ７７が配されており、この受けローラ７７によってスピーカのフレーム６０の外周側のエッジの部分を受けるようにしている。そして上記スピーカ６０のエッジの部分を前面側から押さえリング７８で押さえるようにしている。従って受けローラ７７と押さえリング７８とによってエッジの部分が支持されるフレーム６０を備えるスピーカは、この外筐７６内においてその軸線を中心として回転できるようになる。
【００３６】
このようなスピーカはとくに図７に示すように、支持脚７９によって振動板６１が斜め上方を向くように載置される。そして外筐７６の引出し孔８０を通してコード７２を引出し、その先端側に接続されているプラグ７３を音源装置の出力端子に挿入する。
【００３７】
上記コード７２を通して音源ソースから信号電流を供給すると、この信号電流がコード７２および錦糸線６６を通してボビン５７上のボイスコイル５６に供給され、これによってボビン５７が軸線方向に往復運動を行ない、この往復運動が振動板６１に伝達されて振動する。これによってこのスピーカが音声を再生することになる。
【００３８】
不使用時には、上記巻枠７０によって巻取ってコード７２を収納することになる。この動作は、フレーム６０の外周側の部分であってその前面側の所定の位置に設けられているつまみ８１をつまんでこのスピーカを外筐７６内で回転操作することにより行なわれる。つまみ８１でスピーカを回転操作すると、フレーム６０が受けローラ７７と押さえリング７８とによって挟着された状態で外筐７６の軸線を中心として回転することになる。従って磁気回路５０上に取付けられている巻枠７０も一緒に回転することになり、これによって引出し孔８０から引出されたコード７２が巻枠７０上に巻取られる。
【００３９】
そしてここでも上記磁気回路５０のマグネット５３の外周面上に直接巻枠７０が取付けられるようになっているために、巻枠７０とスピーカの磁気回路５０との間にスリップリングを介在させる必要がなく、これによって部品点数が増加することがなく、構造が簡潔になるとともに、スピーカを小型化できるようになる。またスリップリングがないために、組立てが容易になる。さらにスリップリングを用いないために、接触不良等の不具合が発生し難くなって、信頼性が向上することになる。
【００４０】
以上本願発明を図示の実施の形態によって説明したが、本願発明は上記実施の形態によって限定されることなく、本願発明の技術的思想の範囲内において各種の変更が可能である。例えば上記実施の形態は、ヘッドホンおよびスピーカに応用したものであるが、本願発明は携帯式ＣＤプレーヤ、ラジオ受信機、その他各種の電気−音響変換装置に広く利用可能である。またコード１５、７２を巻取る巻枠２８、７０の形状についても、各種の形状あるいは寸法に設計変更することができる。
【産業上の利用可能性】
【００４１】
本願発明は、コードを巻取るようにしたヘッドホンやスピーカに利用することが可能である。
【図面の簡単な説明】
【００４２】
【図１】ヘッドホンの装着動作を示す正面図である。
【図２】ヘッドホンの組立てを示す外観斜視図である。
【図３】一方のヘッドホンの要部拡大斜視図である。
【図４】同ヘッドホンの拡大断面図である。
【図５】ヘッドホンの内部構造を示す分解斜視図である。
【図６】変形例に係るヘッドホンの分解斜視図である。
【図７】別の実施の形態のスピーカの外観斜視図である。
【図８】同スピーカの内部構造を示す縦断面図である。
【符号の説明】
【００４３】
１１…ヘッドホン、１４…携帯用再生ユニット、１５…コード、１７…耳掛け、２１…外筐、２２…放音孔、２３…当接リブ、２４…リング状ガイド、２５…駆動ユニット、２８…巻枠、２９…ビス、３１…ボス、３２…押さえ円板、３３…操作用凹部、３４…カバー、３５…開口、３６…スリット状引出し部、３８…プラグ、３９…押さえリブ、４０…ビス、４１…結合用ボス、４３…ぜんまいばね、５０…磁気回路、５１…ヨーク、５２…センターポール、５３…マグネット、５４…プレート、５５…エアギャップ、５６…ボイスコイル、５７…ボビン、６０…フレーム、６１…振動板、６２…エッジ、６３…ガスケット、６４…ダンパ、６５…入力端子板、６６…錦糸線、６７…センターキャップ、７０…巻枠、７２…コード、７３…プラグ、７６…外筐、７７…受けローラ、７８…押さえリング、７９…支持脚、８０…引出し孔、８１…つまみ
【図１】
2008017150.tif 000003
【図２】
2008017150.tif 000004
【図３】
2008017150.tif 000005
【図４】
2008017150.tif 000006
【図５】
2008017150.tif 000007
【図６】
2008017150.tif 000008
【図７】
2008017150.tif 000009
【図８】
2008017150.tif 000010